(57)【要約】【課題】システムコンポ１０において、ＲＤＳのＦＭラジオ放送で放送される楽曲をＭＰ３のオーディオファイル形式でＵＳＢ記録装置３２に録音する場合に、録音後に、ユーザが、オーディオファイルの録音内容を、実際に再生しなくても、分かるようにする。また、ファイル名同一による上書きや録音不能等の不都合を防止する。【解決手段】放送信号からオーディオ信号と共にデータ信号を抽出して、ＰＴＹ（番組タイプ）、特に楽曲のジャンルに係るＰＴＹやＲＴ（ラジオテキスト）を入手する（Ｓ４３）。ＰＴＹのコードデータは、ジャンル内容がＩＤ３＿ＴＡＧにおいて一致しているＧｅｎｒｅコードへ変換する（Ｓ４４）。ＭＰ３のオーディオファイルにおいて、変換後のコードデータはＧｅｎｒｅタグに格納し、ＲＴのテキストデータはＣｏｍｍｅｎｔタグに格納する（Ｓ５０）。【選択図】図２
2008286927.tif 000002
【特許請求の範囲】
【請求項１】
コンテンツ信号と該コンテンツ信号に関する付属情報信号とを多重化した放送信号を受信する受信手段、
受信した前記放送信号におけるコンテンツ信号からタグ情報付きコンテンツファイル用のコンテンツデータを生成するコンテンツデータ生成手段、
受信した前記放送信号における付属情報信号からタグ情報付きコンテンツファイル用のタグ情報データを生成するタグ情報データ生成手段、及び
コンテンツデータ及びタグ情報データがそれぞれコンテンツ領域及びタグ情報領域にそれぞれ格納したタグ情報付きコンテンツファイルを記録媒体に書き込むコンテンツファイル書込み手段、
を備えることを特徴とする放送コンテンツ記録装置。
【請求項２】
前記コンテンツファイル書込み手段は、タグ情報データが、その付属情報の種別に対応付けられている種別のタグ情報領域に格納されるように、前記記録媒体に前記タグ情報付きコンテンツファイルを書き込むようになっていることを特徴とする請求項１記載の放送コンテンツ記録装置。
【請求項３】
前記タグ情報データ生成手段が生成するタグ情報データは、放送信号における付属情報のコードに対応付けられた内容と、タグ情報付きコンテンツファイルにおけるタグ情報領域のコードに対応付けられる内容とが一致するように、放送信号における付属情報のコードデータをタグ情報付きコンテンツファイル用に変換したコードデータであることを特徴とする請求項２記載の放送コンテンツ記録装置。
【請求項４】
コンテンツ信号と該コンテンツ信号に関する付属情報信号とを多重化した放送信号を受信するステップ、
受信した前記放送信号におけるコンテンツ信号からタグ情報付きコンテンツファイル用のコンテンツデータを生成するステップ、
受信した前記放送信号における付属情報信号からタグ情報付きコンテンツファイル用のタグ情報データを生成するステップ、及び
コンテンツデータ及びタグ情報データがそれぞれタグ情報付きコンテンツファイルのコンテンツ領域及びタグ情報領域にそれぞれ格納されるように、記録媒体に前記タグ情報付きコンテンツファイルを書き込むステップ、
を備えることを特徴とする放送コンテンツ記録方法。
【発明の詳細な説明】
【技術分野】
【０００１】
本発明は、放送コンテンツを記録する装置及び方法に関するものである。
【背景技術】
【０００２】
デジタルオーディオプレーヤ等のオーディオ装置では、オーディオはフラッシュメモリやハードディスク装置等の記録媒体に例えばＭＰ３（MPEG Audio Layer-３）やＷＭＡ（Windows（登録商標） Media Audio）規格のファイルにより記録される。従来のオーディオ装置では、ユーザが、ラジオ放送で放送される楽曲を録音する場合は、オーディオのみがファイルにより記録媒体に記録されるようになっている。
【０００３】
一方、特許文献１はＲＤＳ（Radio Data System）の放送をＭＤに記録する装置を開示する。該放送記録装置では、ＲＤＳの放送をＭＤに記録中、ＰＩ（放送局の識別コード）を監視し、ＰＩが変化するごとに、ＭＤの記録トラックを更新するようにしている（特許文献１の段落００１８及び図２のＳ３Ｙ→Ｓ４）。
【０００４】
特許文献１は、また、ＲＤＳの放送を記録するトラックのトラック名として、ＲＤＳのＰＳ（Program Service：放送局名）やＰＴＹ（Program type：番組タイプ）に該当するジャンル名を付けることを開示する（特許文献１の００１９，００２０及び図２のＳ６）。
【０００５】
特許文献２は、スピーカから流す音のソースをＲＤＳ用チューナとＣＤやＭＤのプレーヤとへ自動切換えするオーディオシステムを開示する。該オーディオシステムでは、ＲＤＳのＰＴＹを監視し、ＰＴＹから放送内容が音楽関係のものであると判断したときには、オーディオソースをチューナへ切換え、また、非音楽関係のものと判断したときには、オーディオソースをＣＤ等のプレーヤへ切換えるようになっている（特許文献２の図３のＳ１３〜Ｓ１８及び図５のＳ３３〜Ｓ３８）。
【特許文献１】特開２００２−１５７８６５号公報
【特許文献２】特開２００２−２２３１９８号公報
【発明の開示】
【発明が解決しようとする課題】
【０００６】
従来のオーディオ装置では、ラジオ放送からの楽曲についてのオーディオファイルには、楽曲情報が記録されておらず、ユーザは、その内容を把握するためには、再生して聞いてみなければならず、不便となっている。
【０００７】
特許文献１の放送記録装置では、ＲＤＳの放送をＭＤに記録する場合に、ＭＤにおけるトラック名を、録音中の放送に係るＰＳやＰＴＹにすることを開示するが、トラック名をデジタルオーディオファイルのファイル名に適用する場合、不都合が生じる。例えば、フラッシュメモリやハードディスク装置等の大容量メモリでは、同一のフォルダ内ではファイル名を重複して記録できないようになっているとともに、該メモリに格納されるオーディオファイルが多数となるので、ＰＳやＰＴＹをファイル名にしてメモリにオーディオファイルを新規に書込もうとする場合には、すでに、同一ファイル名のオーディオファイルが存在する事態が頻発し、上書きにより過去のオーディオファイルを削除してしまったり、今回のオーディオファイルの書込みを禁止されたり、又は新規にフォルダを作り、そこに今回のオーディオファイルを書込んだりすることになる。
【０００８】
特許文献２は、現在の放送コンテンツが音楽関係であるか否かをＰＴＹに基づき検出すること、及びスピーカから流すオーディオのソースをＰＴＹに基づき切換えることを開示するのみである。特許文献２は、ファイル名重複に因る記録時の支障を回避しつつ、放送コンテンツの記録ファイルについて、その内容を、再生しなくても分かるようにする解決手段については一切、言及していない。
【０００９】
本発明の目的は、放送コンテンツの記録時のファイル名重複に因る記録上の支障を回避しつつ、ユーザが、放送コンテンツを記録しているコンテンツファイルの内容を円滑に把握できるようにする放送コンテンツ記録装置及び方法を提供することである。
【課題を解決するための手段】
【００１０】
本発明によれば、放送信号に多重化されているコンテンツ信号及び付属情報信号から、タグ情報付きコンテンツファイル用のコンテンツデータ及びタグ情報データをそれぞれ生成する。生成したコンテンツデータ及びタグ情報データは、タグ情報付きコンテンツファイルのコンテンツ領域及びタグ情報領域に格納されるように、タグ情報付きコンテンツファイルを記録媒体に記録する。タグ情報付きコンテンツファイルのタグ情報領域の情報はユーザにより適宜参照される。
【００１１】
本発明の放送コンテンツ記録装置は次のものを備えている。
コンテンツ信号と該コンテンツ信号に関する付属情報信号とを多重化した放送信号を受信する受信手段、
受信した前記放送信号におけるコンテンツ信号からタグ情報付きコンテンツファイル用のコンテンツデータを生成するコンテンツデータ生成手段、
受信した前記放送信号における付属情報信号からタグ情報付きコンテンツファイル用のタグ情報データを生成するタグ情報データ生成手段、及び
コンテンツデータ及びタグ情報データがそれぞれコンテンツ領域及びタグ情報領域にそれぞれ格納したタグ情報付きコンテンツファイルを記録媒体に書き込むコンテンツファイル書込み手段。
【００１２】
本発明の放送コンテンツ記録方法は次のステップを備えている。
コンテンツ信号と該コンテンツ信号に関する付属情報信号とを多重化した放送信号を受信するステップ、
受信した前記放送信号におけるコンテンツ信号からタグ情報付きコンテンツファイル用のコンテンツデータを生成するステップ、
受信した前記放送信号における付属情報信号からタグ情報付きコンテンツファイル用のタグ情報データを生成するステップ、及び
コンテンツデータ及びタグ情報データがそれぞれタグ情報付きコンテンツファイルのコンテンツ領域及びタグ情報領域にそれぞれ格納されるように、記録媒体に前記タグ情報付きコンテンツファイルを書き込むステップ。
【発明の効果】
【００１３】
本発明によれば、放送信号に多重化されている付属情報信号からタグ情報付きコンテンツファイル用のタグ情報データを生成し、該タグ情報データをタグ情報付きコンテンツファイルのタグ情報領域に格納するように、タグ情報付きコンテンツファイルを作成する。したがって、記録媒体への放送コンテンツの新規ファイルを記録する際に、ファイル名重複に起因する記録上の支障が回避されるとともに、放送コンテンツの記録ファイルから内容情報を適宜参照することができる。
【発明を実施するための最良の形態】
【００１４】
図１はシステムコンポ１０の構成図である。システムコンポ１０は、本体１１及びスピーカ１２を装備し、ＲＤＳのＦＭラジオ放送についての録音及び再生機能を有している。本体１１は、チューナ部１５、セレクタ１６、マイコン１７、ＡＤＣ（アナログ／デジタル変換器）１８、ＤＳＰ１９、ＤＡＣ（デジタル／アナログ変換器）２０及びパワーアンプ２１を備えている。
【００１５】
ＦＭラジオ放送電波は、アンテナ２５において捕捉されて、そこでＲＦ信号へ変換されてから、チューナ部１５へ供給される。チューナ部１５において捕捉される放送電波の中には、ＲＤＳのＦＭラジオ放送電波が含まれる。ＲＤＳのＦＭラジオ放送電波には、オーディオ信号及びデータ信号が多重化されて、含まれている。
【００１６】
ＲＤＳのデータ信号は、ＡＦ（代替周波数）、ＣＴ（時刻）、ＰＩ（放送局の識別子）、ＰＳ（放送局名）、ＰＴＹ（番組タイプ）、ＲＴ（ラジオテキスト：なお、楽曲の放送中では、該楽曲の楽曲名やアーティスト名がラジオテキストに含まれることが多い。）、ＴＡ（交通情報通知）、ＴＰ（交通情報局の案内）等が含まれる。
【００１７】
ＰＴＹは１〜３１のコード情報で伝送されてくる。規格では、ＰＴＹ＝”１”はニュースであり、”４”はスポーツであり、”６”はドラマとなっている。ＰＴＹ＝１０〜１５は楽曲関係のコード情報となっており、ＰＴＹ＝”１０”はポピュラー音楽、”１１”はロック、”１３”はLight Classical Music、”１４”はSerious Classical Music、”１５”はその他音楽となっており、放送楽曲のジャンルがＰＴＹ＝１０〜１５から把握できるようになっている。
【００１８】
チューナ部１５は、マイコン１７からの選局指示信号に基づき該当周波数のＲＦ信号を復調して、復調したオーディオ信号をセレクタ１６へ出力する。外部機器２７，２８は、システムコンポ１０へ接続されているＣＤプレーヤやＭＤプレーヤのようなオーディオ再生機器である。セレクタ１６は、チューナ部１５及び外部機器２７，２８からのオーディオ信号の内、１つをマイコン１７からの指示信号に従い選択して、それをＡＤＣ１８へ出力する。
【００１９】
記録装置３０は、例えば、ＭＤプレーヤであり、アナログオーディオ信号を入力されて、該信号に係るオーディオを録音可能になっている。セレクタ１６は、ＡＤＣ１８へ出力しているオーディオ信号と同一のオーディオ信号を、マイコン１７からの指示信号に従って記録装置３０へも出力するようになっている。
【００２０】
ＡＤＣ１８は、セレクタ１６からのアナログのオーディオ信号をデジタルのオーディオ信号へ変換する。ＤＳＰ１９は、マイコン１７から指示及び情報に関する制御信号を受けるとともに、ＡＤＣ１８又はＵＳＢ記録装置３２から入力したデジタル信号に対して、エンコーダ、デコーダ、ファイル解析・書込み、及びＩＤ３＿ＴＡＧ解析・書込みの各種処理を実施する。ＵＳＢ記録装置３２は、例えば、ＵＳＢメモリや、デジタルオーディオプレーヤ等であり、オーディオをＭＰ３やＷＭＡ形式のオーディオファイルで記録する。
【００２１】
ＤＳＰ１９は、デジタルオーディオ信号をＤＡＣ２０へ出力し、ＤＡＣ２０は、それをアナログオーディオ信号へ変換して、パワーアンプ２１へ供給する。パワーアンプ２１は、オーディオ信号を増幅してから、スピーカ１２へ供給する。スピーカ１２は、供給されたオーディオ信号を音へ変換する。
【００２２】
ＤＳＰ１９は、ＭＰ３やＷＭＡのオーディオファイルをＵＳＢ記録装置３２の記録媒体に記録するためのデータをＵＳＢ記録装置３２へ供給する。ＭＰ３やＷＭＡのオーディオファイルは、先頭部にタグ情報領域が配置され、その後ろに、オーディオデータを記録するオーディオデータ領域が配置されている。
【００２３】
ＭＰ３のＩＤ３＿ＴＡＧ規格としてのＩＤ３ｖ１，ＩＤ３ｖ２では、ＭＰ３のタグ情報領域は複数の区分に区分化され、各区分には、Ｔｉｔｌｅ（楽曲名）、Ａｒｔｉｓｔ（アーティスト名）、Ａｌｂｕｍ（アルバム名）、Ｙｅａｒ（作成年やＣＤの発売年等）、Ｇｅｎｒｅ（楽曲のジャンル）、Ｃｏｍｍｅｎｔ（コメント）及びＴｒａｃｋ（トラック番号）を書き込むようになっている。
【００２４】
図２はＦＭラジオ放送録音方法４０のフローチャートである。説明の便宜上、ＦＭラジオ放送録音方法４０により作成する録音ファイルはＭＰ３とする。録音ファイルがＷＭＡである場合も、同様である。ＦＭラジオ放送録音方法４０は、システムコンポ１０がＲＤＳのＦＭラジオ放送により放送される楽曲をＵＳＢ記録装置３２にＭＰ３のオーディオファイルとして録音する場合のシステムコンポ１０の作動に対応する。ＦＭラジオ放送録音方法４０の各ステップの処理はＤＳＰ１９において実行される。
【００２５】
Ｓ４１では、ユーザからの録音開始指示が有るか否かを判定し、有るならば、Ｓ４２へ進み、無いならば、ＦＭラジオ放送録音方法４０を終了する。具体的には、ユーザは、本体１１の操作部又はリモコンの録音キーを押下することにより、録音開始指示を出す。
【００２６】
Ｓ４２では、録音対象がＲＤＳのＦＭラジオ放送か否かを判定し、判定が正であれば、Ｓ４３へ進み、否であれば、Ｓ５１へ進む。ユーザが、現在、ＲＤＳのＦＭラジオ放送を聞いている場合には、そのオーディオがスピーカ１２から出力されており、ユーザは、録音した楽曲がスピーカ１２から放音開始されるのに合わせて、録音キーを押下する。
【００２７】
Ｓ４３では、聴取中のＦＭラジオ放送からＰＴＹ（番組タイプ）及びＲＴ（ラジオテキスト）を入手する。Ｓ４４では、ＰＴＹのコードをＭＰ３のＩＤ３＿ＴＡＧにおけるＧｅｎｒｅ（ジャンル）のコードに変換する。
【００２８】
ＲＤＳのＰＴＹのコード体系とＩＤ３＿ＴＡＧのＧｅｎｒｅのコード体系とは、別のものになっている。例えば、ロックは、ＲＤＳのＰＴＹのコードでは”１１”であるが、ＩＤ３＿ＴＡＧのＧｅｎｒｅのコードでは”１７”となっている。したがって、ＤＳＰ１９は、楽曲のジャンルについて、内容が一致するように、ＲＤＳのＰＴＹのコードデータを変換してから、ＩＤ３＿ＴＡＧのＧｅｎｒｅの区分に書き込む必要がある。なお、変換対象になるＰＴＹのコードは、音楽関係の１０〜１５のみとなる。その他のＰＴＹコードは、ＩＤ３＿ＴＡＧのＧｅｎｒｅにおいて内容が一致するコードが存在しないからである。しかしながら、１０〜１５以外のＰＴＹコードを、ＩＤ３＿ＴＡＧのＧｅｎｒｅのコードの”１２（その他）”に変換してもよい。
【００２９】
ＰＴＹのコードに対して、ＲＴは、コードではなく、テキストデータであるので、変換することなく、そのままのデータでＩＤ３＿ＴＡＧのＣｏｍｍｅｎｔ（注釈）へ書込むことができ、また、ＰＴＹコードを文字列としてＩＤ３＿ＴＡＧのＣｏｍｍｅｎｔへ書き込んでもよい。
【００３０】
Ｓ４９では、ＵＳＢ記録装置３２の記録媒体へのＭＰ３のオーディオファイルの書込みを開始する。オーディオファイルの書込みは、具体的には、ＤＳＰ１９からＵＳＢ記録装置３２へのオーディオファイルのデータをオーディオファイルの先頭から出力することにより行われる。Ｓ５０では、ＭＰ３のオーディオファイルのヘッダに相当するタグデータ領域の書込みを行う。該タグデータ領域には、ＧｅｎｒｅやＣｏｍｍｅｎｔのタグ区分が含まれており、それらタグ区分に、Ｓ４４で変換したコードテータ及びＲＴにおけるそのままのテキストデータがそれぞれ書き込まれる。
【００３１】
Ｓ５１では、ＦＭラジオ放送のオーディオ信号に係るオーディオデータをオーディオファイルのオーディオデータ部に書込む。Ｓ５２では、ユーザからの録音終了指示が有るか否かを判定し、有るならば、Ｓ５３へ進み、無いならば、Ｓ５１へ戻って、オーディオデータの書込みを継続する。具体的には、ユーザは、本体１１の操作部又はリモコンの録音停止キーを押下することにより、録音停止指示を出す。
【００３２】
Ｓ５３では、ＵＳＢ記録装置３２の記録媒体へのオーディオファイルの書込みを終了する。具体的には、ＵＳＢ記録装置３２の記録媒体に書き込み中のオーディオファイルを閉じる。
【００３３】
こうして、記録媒体に記録されたＭＰ３のオーディオファイルに対して、ユーザは、そのタグデータ領域のタグ情報を適宜、本体１１の表示部（図示せず）に表示することができる。表示情報には、Ｇｅｎｒｅ（ジャンル）やＣｏｍｍｅｎｔ（注釈）が含まれる。ユーザは、これらを参考に、オーディオファイルに録音されている放送楽曲を把握することができる。
【００３４】
以下、ＦＭラジオ放送録音方法４０の各種変形例を説明する。ＦＭラジオ放送録音方法４０では、ＲＤＳのＰＴＹ及びＲＴをＭＰ３のオーディオファイルのタグデータ領域に格納しているが、ＰＴＹ及びＲＴのどちらか一方のみの書き込みであってもよい。また、ＲＤＳの他のデータを追加して、オーディオファイルのタグデータ領域の所定のタグ区分に格納することができる。例えば、ＲＤＳのＰＳ（放送局名）をタグ情報領域の、例えばＴｉｔｌｅ（楽曲名）又はＡｒｔｉｓｔ（アーティスト名）のタグ区分に格納してもよい。
【００３５】
ＲＤＳについて説明したが、ＲＤＳに代えて、ＲＢＤＳ（Radio Broadcast Data System）にも、ＦＭラジオ放送録音方法４０と同様な処理が可能である。システムコンポ１０では、本体１１の外部のＵＳＢ記録装置３２にＲＤＳのＦＭラジオ放送のオーディオファイルを作成しているが、システムコンポ１０がハードディスク装置やフラッシュメモリを内蔵し、それにオーディオファイルを書込む場合にも、ＦＭラジオ放送録音方法４０と同様な処理が可能である。
【００３６】
図３は放送コンテンツ記録装置６０のブロック図である。前述のシステムコンポ１０は放送コンテンツ記録装置６０の具体例である。また、ＦＭラジオ放送録音方法４０の変形例を実施する機能を装備したシステムコンポ１０も、放送コンテンツ記録装置６０の具体例となる。放送コンテンツ記録装置６０は、車載形やポータブル型であってもよく、さらに、携帯電話やパソコン等の情報処理装置に組み込まれるものであってもよい。
【００３７】
放送コンテンツ記録装置６０における放送信号は、ラジオの放送信号に限定されず、テレビの放送信号であってもよい。さらに、放送コンテンツ記録装置６０における放送信号は、ＲＤＳやＲＢＤＳのようなアナログ放送に限定されず、デジタル放送のものであってもよい。放送コンテンツ記録装置６０は、受信手段６１、コンテンツデータ生成手段６２、タグ情報データ生成手段６３及びコンテンツファイル書込み手段６４を備えている。
【００３８】
受信手段６１は、コンテンツ信号と付属情報信号とを多重化した放送電波６８を受信する。コンテンツデータ生成手段６２は、受信した放送電波６８におけるコンテンツ信号からタグ情報付きコンテンツファイル用のコンテンツデータを生成する。
【００３９】
タグ情報データ生成手段６３は、受信した放送電波６８における付属情報信号からタグ情報付きコンテンツファイル用のタグ情報データを生成する。コンテンツファイル書込み手段６４は、コンテンツデータ及びタグ情報データがそれぞれコンテンツ領域及びタグ情報領域にそれぞれ格納したタグ情報付きコンテンツファイルを記録媒体６９に書き込む。
【００４０】
タグ情報付きコンテンツファイルの具体例は、システムコンポ１０におけるＭＰ３やＷＭＡのオーディオファイルである。タグ情報データとは、ＲＤＳのＦＭラジオ放送におけるＰＴＹやＲＴのデータに対応するものである。記録媒体６９は、例えば。ハードディスク装置又はフラッシュメモリであり、放送コンテンツ記録装置６０に内蔵されているものに限定されず、着脱自在になっていたり、ケーブル又は無線を介して放送コンテンツ記録装置６０の本体に適宜、接続される機器のものであってもよい。
【００４１】
放送コンテンツ記録装置６０のユーザは、放送コンテンツを記録しているタグ情報付きコンテンツファイルについて、そのタグ情報を適宜、参照して、記録した放送コンテンツを把握することができる。
【００４２】
好ましくは、コンテンツファイル書込み手段６４は、タグ情報データが、その付属情報の種別に対応付けられている種別のタグ情報領域に格納されるように、記録媒体６９にタグ情報付きコンテンツファイルを書き込むようになっている。前述のシステムコンポ１０では、付属情報種別としてのＲＤＳのＰＴＹ（番組タイプ）、ＲＴ（ラジオテキスト）及びＰＳ（放送局名）がそれぞれＭＰ３のオーディオファイルのタグ情報領域のＧｅｎｒｅ（ジャンル）、Ｃｏｍｍｅｎｔ（コメント）及びＴｉｔｌｅ（楽曲名）の各タグに対応付けられている。
【００４３】
典型的には、タグ情報データ生成手段６３が生成するタグ情報データは、放送電波６８における付属情報のコードに対応付けられた内容と、タグ情報付きコンテンツファイルにおけるタグ情報領域のコードに対応付けられる内容とが一致するように、放送電波６８における付属情報のコードデータをタグ情報付きコンテンツファイル用に変換したコードデータである。この具体例は、前述のシステムコンポ１０において、ＲＤＳのＰＴＹのロックが”１１”であるのに対し、ＭＰ３のＧｅｎｒｅのコードでは”１７”となっていて、一致していないので、付属情報としてのＰＴＹのコード”１１”をＭＰ３の”１７”へ変換することである。
【００４４】
図４は放送コンテンツ記録方法７０のフローチャートである。放送コンテンツ記録方法７０は放送コンテンツ記録装置６０に適用される。放送コンテンツ記録方法７０は、Ｓ８１〜Ｓ８４を備えている。Ｓ８２，Ｓ８３は、Ｓ８３，Ｓ８２の順番で実行してもよいし、並行して実行してもよい。 
【００４５】
Ｓ８１では、コンテンツ信号と付属情報信号とを多重化した放送電波６８を受信する。Ｓ８２では、受信した放送電波６８におけるコンテンツ信号からタグ情報付きコンテンツファイル用のコンテンツデータを生成する。
【００４６】
Ｓ８３では、受信した放送電波６８における付属情報信号からタグ情報付きコンテンツファイル用のタグ情報データを生成する。Ｓ８４では、コンテンツデータ及びタグ情報データがそれぞれタグ情報付きコンテンツファイルのコンテンツ領域及びタグ情報領域にそれぞれ格納されるように、記録媒体６９にタグ情報付きコンテンツファイルを書き込む。
【００４７】
Ｓ８１〜Ｓ８４の処理は、放送コンテンツ記録装置６０（図３）の受信手段６１〜コンテンツファイル書込み手段６４の機能にそれぞれ対応している。したがって、受信手段６１〜コンテンツファイル書込み手段６４の機能について述べた具体的態様はＳ８１〜Ｓ８４の処理についての具体的態様としても適用可能である。
【００４８】
本明細書は様々な発明を開示している。それら発明には、本明細書における発明の最良の形態等において、独立の作用、効果を奏する１つ又は複数の要素を抽出したものや、１つ又は複数の要素を自明の範囲で変更したものや、１つ又は複数の要素の組合せを自明の範囲で発明の形態間で入れ換えたものを含む。
【図面の簡単な説明】
【００４９】
【図１】システムコンポの構成図である。
【図２】ＦＭラジオ放送録音方法のフローチャートである。
【図３】放送コンテンツ記録装置のブロック図である。
【図４】放送コンテンツ記録方法のフローチャートである。
【符号の説明】
【００５０】
６０：放送コンテンツ記録装置、６１：受信手段、６２：コンテンツデータ生成手段、６３：タグ情報データ生成手段、６４：コンテンツファイル書込み手段、６８：放送電波、６９：記録媒体、７０：放送コンテンツ記録方法。
【図１】
2008286927.tif 000003
【図２】
2008286927.tif 000004
【図３】
2008286927.tif 000005
【図４】
2008286927.tif 000006